(57)【要約】      （修正有）【課題】安価に構成することができ、様々な場所や状況において気軽に用いることができる抽選器を提供する。【解決手段】少なくとも２以上の抽選物を収容し所定の回転軸Ｊの周りに回転することで抽選物を排出する容器２１と、該容器を支持するための支持台４１と、該回転軸の周りに回転自在に該容器を該支持台に取り付ける取付手段と、を備えてなる抽選器であって、該容器と該支持台との少なくとも一部が紙によって形成されている。【選択図】図１
0003115878.tif 000002
【実用新案登録請求の範囲】
【請求項１】
少なくとも２以上の抽選物を収容し所定の回転軸の周りに回転されることで抽選物を排出する容器と、
該容器を支持するための支持台と、
該回転軸の周りに回転自在に該容器を該支持台に取り付ける取付手段と、
を備えてなる抽選器であって、
該容器と該支持台との少なくとも一部が紙によって形成されているものである、抽選器。
【請求項２】
前記容器の全部が、紙によって形成されているものである、請求項１に記載の抽選器。
【請求項３】
前記容器が、筒状の側面部と、該側面部の一端を塞ぐように取り付けられた第１底面部と、該側面部の他端を塞ぐように取り付けられた第２底面部と、を備えてなり、
側面部と第１底面部とが一枚の紙を成形することで形成されているものである、請求項１又は２に記載の抽選器。
【請求項４】
前記支持台の少なくとも一部が紙によって形成されているものであり、
前記支持台が、紙よりも密度が大きな材質によって形成される錘部分であって、前記支持台の重心を下げるように取り付けられた錘部分を有するものである、請求項１乃至３のいずれか１に記載の抽選器。
【請求項５】
取付手段のうち容器と支持台との間に存在し容器の重量を支える部分が、前記紙よりも高強度の材料により形成されているものである、請求項１乃至４のいずれか１に記載の抽選器。
【請求項６】
前記紙が段ボールである、請求項１乃至５のいずれか１に記載の抽選器。
【考案の詳細な説明】
【技術分野】
【０００１】
本考案は、容器に２以上の抽選物（通常は球状をしている。）を収容し、該容器を所定の回転軸の周りに回転させることで該容器から１の抽選物が排出（通常、１回転させる毎に１の抽選物が排出されるようになっている。）される抽選器に関する。
【背景技術】
【０００２】
容器に２以上の抽選物を収容し、該容器を所定の回転軸の周りに回転させることで該容器から１の抽選物が排出される抽選器は、通称「ガラポン」、「ガラガラ」、「新井式回転式福引器」、「新井式回転式抽選器」等と呼ばれ、複数の抽選物から無作為に１の抽選物を取り出すことができることから、商店街における景品やイベントにおける賞品を抽選するため等に長年これまで用いられてきた（例えば、特許文献１〜６参照）。
【０００３】
【特許文献１】特公昭７−８５２号（特許第９７０１６号）公報
【特許文献２】特公昭７−２７７９号（特許第９８１４５号）公報
【特許文献３】特公昭５−３０１５号公報
【特許文献４】実公昭３−１０７９７号公報
【特許文献５】実公昭４−５７２２号公報
【特許文献６】実公昭７−１１２９号公報
【考案の開示】
【考案が解決しようとする課題】
【０００４】
しかしながら、このような抽選器は、抽選物を収容する容器と、該容器を支持するための支持台と、を備えるものであるが、容器と支持台とは、通常、複数枚の板状の材木を接合（例えば、金具や接着剤等を用いて接合する。）したり、場合によっては金属材料を用いて構成されていたので、抽選器を製造する際の作業費用（例えば、複数枚の板状の材木を接合するための作業を要する。）や材料費用がいきおい高くなることから抽選器が高額となり、様々な場所や状況において気軽に抽選器を用いることができなかった。
そこで、本考案では、安価に構成することができ、様々な場所や状況において気軽に用いることができる抽選器を提供することを目的とする。
【課題を解決するための手段】
【０００５】
本考案の抽選器（以下、「本抽選器」という。）は、少なくとも２以上の抽選物を収容し所定の回転軸の周りに回転することで抽選物を排出する容器と、該容器を支持するための支持台と、該回転軸の周りに回転自在に該容器を該支持台に取り付ける取付手段と、を備えてなる抽選器であって、該容器と該支持台との少なくとも一部が紙によって形成されているものである、抽選器である。
本抽選器は、従来から用いられてきた抽選器と同様、少なくとも２以上の抽選物を収容し所定の回転軸の周りに回転することで抽選物を排出する容器と、該容器を支持するための支持台と、該回転軸の周りに回転自在に該容器を該支持台に取り付ける取付手段と、を備えてなる抽選器である。このため取付手段により、回転軸の周りに回転自在に容器が支持台に取り付けるので、支持台により安定して支持された容器は回転軸の周りに自由に回転することができる。このように回転軸の周りに回転自在に支持された容器を回転軸の周りに回転させることで、容器の内部空間に収容された少なくとも２以上の抽選物から無作為に選ばれた抽選物が排出される（通常、該２以上の抽選物のうち１の抽選物が無作為に選ばれ排出される。）。
そして、本抽選器においては、該容器と該支持台との少なくとも一部が紙によって形成される。なお、「容器と支持台との少なくとも一部が紙によって形成される」とは、（１）容器の少なくとも一部（無論、全部であってもよい。）が紙によって形成される場合、（２）支持台の少なくとも一部（無論、全部であってもよい。）が紙によって形成される場合、（３）容器の少なくとも一部（無論、全部であってもよい。）と支持台の少なくとも一部（無論、全部であってもよい。）との両方が紙によって形成される場合、のいずれの場合も含む。このように容器と支持台との少なくとも一部が紙によって形成されることで、これら容器と支持台が従来の抽選器のように複数枚の板状の材木や金属材料を用いて構成する場合に比して安価に構成することができ、これにより本抽選器を安価な様々な場所や状況において気軽に用いることができる抽選器とすることができる。
【０００６】
前記容器の全部が、紙によって形成されているものであってもよい。
容器は、少なくとも２以上（通常多数）の抽選物を収容する必要があることから、その内部空間を取り囲むように壁を形成する。かかる壁を、従来の抽選器のように複数枚の板状の材木や金属材料等により形成する場合、板状の材木の接合や金属成形等を要することから、容器を形成する費用がいきおい高くなってしまう（容器が高額になれば抽選器も勿論高額になる。）。このため容器全部を紙によって形成すれば、複数枚の板状の材木や金属材料等により形成する場合に比して大幅なコストダウンを図ることができ、一層、本抽選器を安価な様々な場所や状況において気軽に用いることができる抽選器とすることができる。
【０００７】
前記容器が、筒状の側面部と、該側面部の一端を塞ぐように取り付けられた第１底面部と、該側面部の他端を塞ぐように取り付けられた第２底面部と、を備えてなり、側面部と第１底面部とが一枚の紙を成形することで形成されているものであってもよい。
上述のように、容器は少なくとも２以上（通常多数）の抽選物を収容する必要があり、その内部空間を取り囲むように壁を形成する（無論、抽選物を内部空間から外部空間に取り出すための開口を有する。）。そして、容器は、中空の柱体（通常、直柱体。例えば、中空の（直）多角柱（例えば、中空の（直）八角柱、中空の（直）七角柱、中空の（直）六角柱、中空の（直）五角柱、中空の（直）四角柱等）や中空の（直）円柱を例示することができる。）と普通されるので、筒状の側面部と、該側面部の一端を塞ぐ第１底面部と、該側面部の他端を塞ぐ第２底面部と、により構成することができる。このとき側面部と第１底面部とが一枚の紙を成形（例えば、折り曲げ）することで形成されるようにすることができ（側面部と第１底面部と第２底面部とが一枚の紙を成形することで形成されてもよい。）、こうすれば側面部と第１底面部とを別個に形成して接合するのに比して、容器の形成に要する作業を減少させ大幅なコストダウンを図ることができ、一層、本抽選器を安価な様々な場所や状況において気軽に用いることができる抽選器とすることができる。
【０００８】
前記支持台の少なくとも一部が紙によって形成されているものであり、前記支持台が、紙よりも密度が大きな材質によって形成される錘部分であって、前記支持台の重心を下げるように取り付けられた錘部分を有するものであってもよい。
支持台の少なくとも一部を紙によって形成すると、支持台を材木や金属材料等によって構成する場合に比し、通常、支持台が（重量が）軽くなる。支持台が軽量になると本抽選器が不安定（支持台が軽くなると本抽選器の重心が上昇する。）になることがあるので、これを防止又は減少させるために錘部分を支持台が有するようにしてもよい。錘部分は、紙よりも密度が大きな材質（例えば、鉄鋼、銅、鉛等の金属材料や、ガラス、石材、陶磁器等の無機材料や、ゴム材料、樹脂材料等のような有機材料等を例示することができる。）によって形成され、本抽選器を水平面に載置した状態において、錘部分を取り付ける前の支持台の重心よりも、錘部分を取り付けた後の支持台の重心が低くなるよう（即ち、錘部分を取り付けることにより支持台の重心が下がるよう）に取り付けられる。このように錘部分を取り付けることで支持台の重心を下げ、本抽選器を安定して用いることができる。
【０００９】
取付手段のうち容器と支持台との間に存在し容器の重量を支える部分が、前記紙よりも高強度の材料により形成されているものであってもよい。
取付手段のうち容器と支持台との間に存在し容器の重量を支える部分は、本抽選器の他の部分よりも大きな応力を受けることから、他の部分を紙によって形成する場合でも、該重量を支える部分は高強度の材質により形成されるようにしてもよい。ここに「紙よりも高強度の材料」とは、紙よりもせん断強さが大きな材質をいい、特に限定されるものではないが、例えば、鉄鋼、銅、アルミニウム等の金属材料や、ガラス、石材、陶磁器等の無機材料や、樹脂材料等のような有機材料等から選択されてもよい。
【００１０】
前記紙が段ボールであってもよい。
前記紙（容器と支持台との少なくとも一部を形成する紙）としては、それが形成する部分が十分な強度等を保持することができるものであればいかなるものであってもよく何ら限定されるものではないが、例えば、段ボール、厚紙、板紙等を例示することができる。とりわけ段ボールを前記紙として用いれば、強度が高いことから好ましい。
【考案を実施するための最良の形態】
【００１１】
本考案の実施の形態を図面を参照して詳述するが、本考案はこれに限定されるものではない。
【００１２】
図１は、一例の本考案の抽選器（本抽選器）１１を示す正面図であり、図２は本抽選器１１の背面図であり、図３は図１の左側面図（図１中、矢印Ａ方向から見たところを示している。なお、図２にも見た方向を矢印Ａとして示している。）である。図１乃至図３を参照して、一例の本抽選器１１について説明する。なお、図１乃至図３中、（鉛直）上方向を矢印Ｆ１にて、そして（鉛直）下方向を矢印Ｆ２にて、それぞれ示した。また、図１乃至図３に示した本抽選器１１は、図示しないテーブルの上面（略水平面）に載置された状態を示している。
本抽選器１１は、大まかには、複数（少なくとも２以上）の抽選物（図示せず）を収容する容器２１と、容器２１を支持する支持台４１と、容器２１を支持台４１に取り付ける樹脂棒５１及びボルト部材６１（樹脂棒５１とボルト部材６１とにより取付手段が構成される。）と、ボルト部材６１に取り付けられた回転ハンドル８１と、を備えてなる。
【００１３】
容器２１は、ここでは中空の直正六角柱形状を有しており、図示しない球状の抽選物を内部空間に多数収容している（具体的には、赤色の抽選物２０個、黄色の抽選物２０個、緑色の抽選物２０個、白色の抽選物２０個の合計８０個が収容されている。）。容器２１は、内部空間に収容したこれら多数の抽選物を内部空間から外部空間に取り出すための開口２３を有している（図３参照）。容器２１は、回転軸Ｊの周りに１回転されることで抽選物１個を開口２３から排出する。なお、１回転されることで、内部空間に収容した多数の抽選物から無作為に選んで抽選物１個を排出するための機構は、従来の抽選器に様々なものが採用され用いられているので、ここでは該機構に関しての説明は省略する（必要があれば、上記の特許文献１〜６を参照すればよい。）。
容器２１は、筒状の側面部２１ａと、側面部２１ａの一端を塞ぐように取り付けられた第１底面部２１ｂ（両主表面が略正六角形）と、側面部２１ａの他端を塞ぐように取り付けられた第２底面部２１ｃ（両主表面が略正六角形。なお、ここでは第１底面部２１ｂと第２底面部２１ｃとは互いにほぼ平行である。）と、を備えており、側面部２１ａの所定位置に開口２３が内部空間と外部空間とを連通するように穿設されている。なお、側面部２１ａと第１底面部２１ｂと第２底面部２１ｃとはいずれも板状の段ボールにより形成されており、ここでは側面部２１ａと第１底面部２１ｂとは一枚の段ボールを折り曲げ成形することで一体に形成されると共に、第２底面部２１ｃはまた別の一枚の段ボールによって形成されている。ここに回転軸Ｊは、第１底面部２１ｂ及び第２底面部２１ｃに対して略垂直であり、かつ容器２１（抽選物を内部空間に収容していないとき）の重心をほぼ通過するように定められている。
【００１４】
支持台４１は、段ボールによって形成された本体部４３と、本体部４３の内部に配設された錘部分４２と、を有している。
本体部４３は、やや長細い直方体形状をした箱体により形成される底部４３ａと、底部４３ａに下端が取り付けられ上方に立ち上がるように形成された第１立ち上がり部４３ｂと、底部４３ａに下端が取り付けられ上方に立ち上がるように形成された第２立ち上がり部４３ｃと、を有している。第１立ち上がり部４３ｂと第２立ち上がり部４３ｃとは、互いに回転軸Ｊ方向に離れるように底部４３ａに取り付けられている。
【００１５】
第２立ち上がり部４３ｃの上部には、図示しない鋼製のスリーブ（両端が開放された直円筒形状）が回転軸Ｊ方向に沿って第２立ち上がり部４３ｃを貫通するように取り付けられている。また、ボルト部材６１は、該スリーブと、鋼製のボルト６３と、ボルト６３に螺合したナット（六角ナットやちょうナットを含む）と、を含んでいる。このボルト６３が該スリーブを貫通するように内嵌（ボルト６３の外面と該スリーブの内面との間には遊び（隙間）がある。）されており、これによって鋼製のボルト６３は第２立ち上がり部４３ｃに対して回転軸Ｊの周りに自由に回転することができるよう第２立ち上がり部４３ｃによって支持されている（無論、ボルト６３の長手方向は回転軸Ｊ方向に向いている。）。ボルト６３の一端側は第１底面部２１ｂを貫通すると共に、第１底面部２１ｂに対して回転軸Ｊの周りに回転不可能に取り付けられている（即ち、第１底面部２１ｂとボルト６３とは回転軸Ｊの周りに一緒に回転する。）。このようにして第１底面部２１ｂは第２立ち上がり部４３ｃに対して回転軸Ｊの周りに自由に回転することができるようボルト６３によって支持されている。
そして、ボルト６３の他端側には回転ハンドル８１が、ボルト６３に対して回転軸Ｊの周りに回転不可能に取り付けられている（即ち、回転ハンドル８１とボルト６３とは回転軸Ｊの周りに一緒に回転する。）。回転ハンドル８１は、一端がボルト６３に取り付けられたハンドル本体８３（回転軸Ｊに対して垂直方向に突出するよう、ボルト６３に対して回転軸Ｊの周りに回転不可能に取り付けられる。）と、ハンドル本体８３の他端に取り付けられた把持部８５と、を有している。
【００１６】
第１立ち上がり部４３ｂの上部には、プラスチック製の断面（回転軸Ｊに対して垂直な断面）が円形の樹脂棒５１が回転軸Ｊ方向に沿って第１立ち上がり部４３ｂを貫通（やや遊びを有して貫通している。）するように取り付けられている。樹脂棒５１は、第１立ち上がり部４３ｂに対して回転軸Ｊの周りに自由に回転することができる（樹脂棒５１が第１立ち上がり部４３ｂをやや遊びを有して貫通することで自由に回転することができる。）よう第１立ち上がり部４３ｂによって支持されている。樹脂棒５１の一端側は第２底面部２１ｃを貫通しているが、樹脂棒５１は第２底面部２１ｃに対して回転軸Ｊの周りに回転自在になっている。なお、樹脂棒５１の一端には一端拡大部５１ａが形成されることで第２底面部２１ｃから不意に脱落することを防止しており、樹脂棒５１の他端には他端拡大部５１ｂが形成されることで第１立ち上がり部４３ｂから不意に脱落することを防止している。このようにして第２底面部２１ｃは第１立ち上がり部４３ｂに対して回転軸Ｊの周りに自由に回転することができるよう樹脂棒５１によって支持されている。
【００１７】
以上のように、第１底面部２１ｂが第２立ち上がり部４３ｃに対して回転軸Ｊの周りに自由に回転することができると共に、第２底面部２１ｃが第１立ち上がり部４３ｂに対して回転軸Ｊの周りに自由に回転することができるようにされることで、容器２１は回転軸Ｊの周りに自由に回転できるよう支持台４１によって支持されている。そして、ボルト６３に対して回転軸Ｊの周りに回転不可能に取り付けられた回転ハンドル８１を回転軸Ｊの周りに回転させることで（把持部８５を手で把持して図１中、時計回りに回転させればよい。なお、第１底面部２１ｂの外面には、回転ハンドル８１を回転させるべき方向を表示２４（具体的には、「ゆっくり回して下さい」との文言とその回転させるべき方向を示す矢印とにより構成される。）により明示している。）、容器２１を回転軸Ｊの周りに回転（図１中、時計回り）させることができる。このように容器２１を回転軸Ｊの周りに１回転（図１中、時計回り）させる毎に、前述したように、容器２１の内部空間に収容した多数の抽選物から無作為に選ばれた１個の抽選物が開口２３から排出される（排出された１個の抽選物の色により、与えられる景品の種類等を決することができる。）。
【００１８】
錘部分４２は、ここでは石材（紙よりも密度が大きな材質）により形成された板状部材によって構成されており、箱形状をした本体部４３の底部（最下部）内部に配設されている。
本抽選器１１を水平面に載置した状態（図１〜図３の状態）において、錘部分４２を取り付ける前の支持台４１の重心（例えば、図１〜図３中、点Ｋ）よりも、錘部分４２を取り付けた後の支持台４１の重心（例えば、図１〜図３中、点Ｍ）が低くなるよう（即ち、錘部分４２を取り付けることにより支持台４１の重心が下がるよう）に取り付けられている。このように錘部分４２を取り付け支持台４１の重心を下げることで本抽選器１１を安定（例えば、転倒等を防止又は減少させることができる。）して用いることができる。
【００１９】
以上説明したように本抽選器１１は、少なくとも２以上の抽選物（ここでは赤色の抽選物２０個、黄色の抽選物２０個、緑色の抽選物２０個、白色の抽選物２０個の合計８０個の球状物）を収容し所定の回転軸Ｊの周りに回転されることで抽選物を（ここでは１回転につき１個ずつ）排出する容器２１と、容器２１を支持するための支持台４１と、該回転軸Ｊの周りに回転自在に該容器２１を該支持台４１に取り付ける取付手段たる樹脂棒５１及びボルト部材６１と、を備えてなる抽選器であって、該容器２１と該支持台４１との少なくとも一部（ここでは容器２１の全部と、支持台４１のうち錘部分４２を除く部分と、の両方）が紙（段ボール）によって形成されている。
ここでは前記容器２１の全部が紙（段ボール）によって形成されている（なお、前記容器２１のうち、少なくとも２以上の抽選物を収容する内部空間と外部空間とを仕切る壁部分の全部が紙（段ボール）によって形成されている。）。
また、前記容器２１が、筒状の側面部２１ａと、該側面部２１ａの一端を塞ぐように取り付けられた第１底面部２１ｂと、該側面部２１ａの他端を塞ぐように取り付けられた第２底面部２１ｃと、を備えており、側面部２１ａと第１底面部２１ｂとが一枚の紙（段ボール）を成形（折り曲げ成形）することで一体に形成されている。
【００２０】
本抽選器１１においては、前記支持台４１の少なくとも一部（支持台４１のうち錘部分４２を除く部分）が紙（段ボール）によって形成されているものであり（なお、支持台４１のうち容器２１の重量を支持する部分が紙（段ボール）によって形成されている。）、前記支持台４１が、紙よりも密度が大きな材質（ここでは石材）によって形成される錘部分４２であって、前記支持台４１の重心を下げる（前述のように点Ｋから点Ｍへ重心を下げる。）ように取り付けられた錘部分４２を有する。
そして、取付手段たる樹脂棒５１及びボルト部材６１のうち容器２１と支持台４１との間に存在し容器の重量を支える部分（樹脂棒５１、ボルト６３）が、前記紙（段ボール）よりも高強度の材料により形成されている（樹脂棒５１はプラスチック材料により、そしてボルト６３は鋼により形成されている。）。
また、上述のように、ここでは前記紙は段ボールである。
このような本抽選器１１は、従来の抽選器と同様に用いることができ、従来の抽選器に比して安価や軽量（材木や金属材料等により形成するのに比し、紙（段ボール）により形成するため軽量化を図ることもできる。）に構成することができることから、様々な場所や状況において気軽に用いることができる。
【図面の簡単な説明】
【００２１】
【図１】一例の本考案の抽選器（本抽選器）を示す正面図である。
【図２】本抽選器の背面図である。
【図３】図１の左側面図である。
【符号の説明】
【００２２】
１１          本抽選器
２１          容器
２１ａ        側面部
２１ｂ        第１底面部
２１ｃ        第２底面部
２３          開口
２４          表示
４１          支持台
４２          錘部分
４３          本体部
４３ａ        底部
４３ｂ        第１立ち上がり部
４３ｃ        第２立ち上がり部
５１          樹脂棒
５１ａ        一端拡大部
５１ｂ        他端拡大部
６１          ボルト部材
６３          ボルト
８１          回転ハンドル
８３          ハンドル本体
８５          把持部
【図１】
0003115878.tif 000003
【図２】
0003115878.tif 000004
【図３】
0003115878.tif 000005